【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
撮像装置の画質を調整する輝度調整回路において、
水平方向フィルタの位置とサイズを設定する水平方向フィルタ設定部と、
この水平方向フィルタ設定部から出力されるフィルタの位置とサイズ及び前記撮像装置から出力される映像信号を受けてフィルタ内の所定の対象画素より右側に配列する画素の平均輝度値と左側に配列する画素の平均輝度値をそれぞれ算出し、それらの値のうち前記対象画素の輝度値に近い方の値を選択し、その値を新たな前記対象画素の輝度値とする輝度値置換処理を行なう水平方向フィルタ処理部と、
垂直方向フィルタの位置とサイズを設定する垂直方向フィルタ設定部と、
この垂直方向フィルタ設定部から出力されるフィルタの位置とサイズ及び水平方向フィルタ処理部から出力される輝度値を受けてフィルタ内の所定の対象画素より上側に配列する画素の平均輝度値と下側に配列する画素の平均輝度値をそれぞれ算出し、それらの値のうち前記対象画素の輝度値に近い方の値を選択し、その値を新たな前記対象画素の輝度値とする輝度値置換処理を行なう垂直方向フィルタ処理部と、
ウィンドウの位置とサイズを設定するウィンドウ設定部と、
このウィンドウ設定部から出力されるウィンドウの位置とサイズ及び垂直方向フィルタ処理部から出力される輝度値を受けてウィンドウで指定された領域の輝度の平均値を算出するウィンドウ内平均値算出部と、
前記撮像装置から出力される映像信号を所定時間遅延させる遅延部と、
この遅延部の出力と前記ウィンドウ内平均値算出部の出力を受けて前記対象画素の輝度値から前記ウィンドウ内平均値算出部の出力を減算する減算器と、
を備えたことを特徴とする輝度調整回路。
【請求項２】
撮像装置の画質を調整する輝度調整回路において、
ウィンドウの位置とサイズを設定するウィンドウ設定部と、
このウィンドウ設定部から出力されるウィンドウの位置とサイズ及び前記撮像装置から出力される映像信号を受けてウィンドウで指定された領域の輝度の平均値を算出するウィンドウ内平均値算出部と、
前記撮像装置から出力される映像信号を所定時間遅延させる遅延部と、
前記撮像装置から出力される映像信号を受けて全画面内の輝度の平均値を算出する画面内平均値算出部と、
前記遅延部の出力と前記ウィンドウ内平均値算出部の出力を受けて所定の対象画素の輝度値から前記ウィンドウ内平均値算出部の出力を減算する第１の減算器と、
前記遅延部の出力と前記画面内平均値算出部の出力を受けて前記対象画素の輝度値から前記画面内平均値算出部の出力を減算する第２の減算器と、
前記第１の減算器の出力と前記第２の減算器の出力の加算比率を設定する固定加算比率設定部と、
前記第１の減算器の出力と前記固定加算比率設定部の出力を受けて前記第１の減算器の出力と設定された加算比率を乗算する第１の乗算器と、
前記第２の減算器の出力と前記固定加算比率設定部の出力を受けて前記第２の減算器の出力と設定された加算比率を乗算する第２の乗算器と、
前記第１の乗算器と前記第２の乗算器の出力を受けてそれぞれを加算する加算器と、
を備えたことを特徴とする輝度調整回路。
【請求項３】
撮像装置の画質を調整する輝度調整回路において、
ウィンドウの位置とサイズを設定するウィンドウ設定部と、
このウィンドウ設定部から出力されるウィンドウの位置とサイズ及び前記撮像装置から出力される映像信号を受けてウィンドウで指定された領域の輝度の平均値を算出するウィンドウ内平均値算出部と、
前記撮像装置から出力される映像信号を所定時間遅延させる遅延部と、
前記撮像装置から出力される映像信号を受けて全画面内の輝度の平均値を算出する画面内平均値算出部と、
前記遅延部の出力と前記ウィンドウ内平均値算出部の出力を受けて所定の対象画素の輝度値から前記ウィンドウ内平均値算出部の出力を減算する第１の減算器と、
前記遅延部の出力と前記画面内平均値算出部の出力を受けて前記対象画素の輝度値から前記画面内平均値算出部の出力を減算する第２の減算器と、
前記第１の減算器の出力を受けて前記第１の減算器の出力と前記第２の減算器の出力の加算比率を自動的に設定する自動加算比率設定部と、
前記第１の減算器の出力と前記自動加算比率設定部の出力を受けて前記第１の減算器の出力と設定された加算比率を乗算する第１の乗算器と、
前記第２の減算器の出力と前記自動加算比率設定部の出力を受けて前記第２の減算器の出力と設定された加算比率を乗算する第２の乗算器と、
前記第１の乗算器と前記第２の乗算器の出力を受けてそれぞれを加算する加算器と、
を備えたことを特徴とする輝度調整回路。
【請求項４】
撮像装置の画質を調整する輝度調整回路において、
水平方向フィルタの位置とサイズを設定する水平方向フィルタ設定部と、
この水平方向フィルタ設定部から出力されるフィルタの位置とサイズ及び前記撮像装置から出力される映像信号を受けてフィルタ内の所定の対象画素より右側に配列する画素の平均輝度値と左側に配列する画素の平均輝度値を算出し、それらの値のうち前記対象画素の輝度値に近い方の値を選択し、その値を新たな前記対象画素の輝度値とする輝度値置換処理を行なう水平方向フィルタ処理部と、
垂直方向フィルタの位置とサイズを設定する垂直方向フィルタ設定部と、
この垂直方向フィルタ設定部から出力されるフィルタの位置とサイズ及び水平方向フィルタ処理部から出力される輝度値を受けてフィルタ内の所定の対象画素より上側に配列する画素の平均輝度値と下側に配列する画素の平均輝度値を算出し、それらの値のうち前記対象画素の輝度値に近い方の値を選択し、その値を新たな前記対象画素の輝度値とする輝度値置換処理を行なう垂直方向フィルタ処理部と、
前記撮像装置から出力される映像信号を所定時間遅延させる遅延部と、
前記撮像装置から出力される映像信号を受けて全画面内の輝度の平均値を算出する画面内平均値算出部と、
前記遅延部の出力と前記ウィンドウ内平均値算出部の出力を受けて前記対象画素の輝度値から前記ウィンドウ内平均値算出部の出力を減算する第１の減算器と、
前記遅延部の出力と前記画面内平均値算出部の出力を受けて前記対象画素の輝度値から前記画面内平均値算出部の出力を減算する第２の減算器と、
前記第１の減算器の出力と前記第２の減算器の出力の加算比率を設定する固定加算比率設定部と、
前記第１の減算器の出力と前記固定加算比率設定部の出力を受けて前記第１の減算器の出力と設定された加算比率を乗算する第１の乗算器と、
前記第２の減算器の出力と前記固定加算比率設定部の出力を受けて前記第２の減算器の出力と設定された加算比率を乗算する第２の乗算器と、
前記第１の乗算器と前記第２の乗算器の出力を受けてそれぞれを加算する加算器と、
を備えたことを特徴とする輝度調整回路。
【請求項５】
撮像装置の画質を調整する輝度調整回路において、
水平方向フィルタの位置とサイズを設定する水平方向フィルタ設定部と、
この水平方向フィルタ設定部から出力されるフィルタの位置とサイズ及び前記撮像装置から出力される映像信号を受けてフィルタ内の所定の対象画素より右側に配列する画素の平均輝度値と左側に配列する画素の平均輝度値を算出し、それらの値のうち前記対象画素の輝度値に近い方の値を選択し、その値を新たな前記対象画素の輝度値とする輝度値置換処理を行なう水平方向フィルタ処理部と、
垂直方向フィルタの位置とサイズを設定する垂直方向フィルタ設定部と、
この垂直方向フィルタ設定部から出力されるフィルタの位置とサイズ及び水平方向フィルタ処理部から出力される輝度値を受けてフィルタ内の所定の対象画素より上側に配列する画素の平均輝度値と下側に配列する画素の平均輝度値を算出し、それらの値のうち前記対象画素の輝度値に近い方の値を選択し、その値を新たな前記対象画素の輝度値とする輝度値置換処理を行なう垂直方向フィルタ処理部と、
前記撮像装置から出力される映像信号を所定時間遅延させる遅延部と、
前記撮像装置から出力される映像信号を受けて全画面内の輝度の平均値を算出する画面内平均値算出部、前記遅延部の出力と前記ウィンドウ内平均値算出部の出力を受けて対象画素の輝度値から前記ウィンドウ内平均値算出部の出力を減算する第１の減算器と、
前記遅延部の出力と前記画面内平均値算出部の出力を受けて前記対象画素の輝度値から前記画面内平均値算出部の出力を減算する第２の減算器と、
前記第１の減算器の出力を受けて前記第１の減算器の出力と前記第２の減算器の出力の加算比率を自動的に設定する自動加算比率設定部と、
前記第１の減算器の出力と前記自動加算比率設定部の出力を受けて前記第１の減算器の出力と設定された加算比率を乗算する第１の乗算器と、
前記第２の減算器の出力と前記自動加算比率設定部の出力を受けて前記第２の減算器の出力と設定された加算比率を乗算する第２の乗算器と、
前記第１の乗算器と前記第２の乗算器の出力を受けてそれぞれを加算する加算器と、
を備えたことを特徴とする輝度調整回路。